(57)【要約】【課題】  本発明は、ドラムカートリッジのみを取り出すときの操作性を向上することができる画像形成装置を提供する。【解決手段】  第一開放位置と、第一閉じ位置と、を取り得る排出トレイ９０と、第二開放位置と、第二閉じ位置と、を取り得る前ドア９２と、現像ローラ７１が感光ドラム６１と接触するように現像カートリッジ７０を押圧する現像押圧部材１０１と、排出トレイ９０の第一閉じ位置から第一開放位置への移動に連動して現像押圧部材１０１による現像カートリッジ７０の押圧を解除する第一押圧解除部材１０３と、前ドア９２の第二閉じ位置から第二開放位置への移動に連動して現像押圧部材１０１による現像カートリッジ７０の押圧を解除する第二押圧解除部材１０４と、を有することを特徴とする。【選択図】      図７
2020184008.tif 000002
【特許請求の範囲】
【請求項１】
装置本体と、
像担持体を備え、前記装置本体に着脱可能であるドラムカートリッジと、
現像剤担持体を備え、前記装置本体に着脱可能である現像カートリッジと、
を備えた画像形成装置において、
前記装置本体は、
前記ドラムカートリッジを着脱する時に前記ドラムカートリッジが通過する第一開口を開放する第一開放位置と、前記第一開口を閉じる第一閉じ位置と、を取り得る第一開閉部材と、
前記現像カートリッジを着脱する時に前記現像カートリッジが通過する第二開口を開放する第二開放位置と、前記第二開口を閉じる第二閉じ位置と、を取り得る第二開閉部材と、
前記現像剤担持体が前記像担持体と接触するように前記現像カートリッジを押圧する押圧部材と、
前記第一開閉部材の前記第一閉じ位置から前記第一開放位置への移動に連動して前記押圧部材による前記現像カートリッジの押圧を解除する第一押圧解除部材と、
前記第二開閉部材の前記第二閉じ位置から前記第二開放位置への移動に連動して前記押圧部材による前記現像カートリッジの押圧を解除する第二押圧解除部材と、
を有することを特徴とする画像形成装置。
【請求項２】
前記押圧部材は、前記装置本体に回動可能に支持され、
更に、前記押圧部材は、
前記現像カートリッジを押圧する押圧部と、
前記押圧部材の回動中心を挟んで前記押圧部とは反対側に設けられた非押圧部と、
を有し、
前記第一押圧解除部材は、前記第一開閉部材と前記非押圧部との間に接続され、
前記第二押圧解除部材は、前記第二開閉部材と前記押圧部との間に接続され、
更に、前記押圧部を前記現像カートリッジに向かって押圧する付勢部材と、
を有し、
前記第一開閉部材の前記第一閉じ位置から前記第一開放位置への移動に連動して前記第一押圧解除部材が前記非押圧部を引っ張ることにより前記付勢部材の押圧力に抗して前記押圧部材を非押圧方向に回動させることで前記押圧部材による前記現像カートリッジの押圧を解除し、
前記第二開閉部材の前記第二閉じ位置から前記第二開放位置への移動に連動して前記第二押圧解除部材が前記押圧部を引っ張ることにより前記付勢部材の押圧力に抗して前記押圧部材を非押圧方向に回動させることで前記押圧部材による前記現像カートリッジの押圧を解除することを特徴とする請求項１に記載の画像形成装置。
【請求項３】
前記第一押圧解除部材と前記第二押圧解除部材と前記付勢部材とは、何れも、ばねで構成され、
前記第一開閉部材が前記第一閉じ位置にあるとき、前記第一押圧解除部材の引張力は、前記付勢部材の押圧力よりも小さく、前記第一開閉部材が前記第一開放位置にあるとき、前記第一押圧解除部材の引張力は、前記付勢部材の押圧力よりも大きく、
前記第二開閉部材が前記第二閉じ位置にあるとき、前記第二押圧解除部材の引張力は、前記付勢部材の押圧力よりも小さく、前記第二開閉部材が前記第二開放位置にあるとき、前記第二押圧解除部材の引張力は、前記付勢部材の押圧力よりも大きいことを特徴とする請求項２に記載の画像形成装置。
【請求項４】
前記装置本体は、
前記第二開閉部材の開閉動作と連動して前記ドラムカートリッジを画像形成位置と非画像形成位置との間で移動させるドラム移動部材を有し、
前記第二開閉部材を前記第二閉じ位置から中途位置に開く際に、前記第二押圧解除部材によって前記押圧部材による前記現像カートリッジの押圧状態が解除され、前記現像カートリッジが画像形成位置から非画像形成位置に移動し、
前記第二開閉部材を前記中途位置から前記第二開放位置に開く際に、前記ドラム移動部材によって前記ドラムカートリッジが画像形成位置から非画像形成位置に移動することを特徴とする請求項１〜３のいずれか１項に記載の画像形成装置。
【発明の詳細な説明】
【技術分野】
【０００１】
本発明は、複写機やプリンタ等の画像形成装置に関するものである。
【背景技術】
【０００２】
画像形成装置において、感光ドラムを備えたドラムカートリッジと、現像ローラを備えた現像カートリッジとを着脱可能な画像形成装置が知られている。この構成において、現像カートリッジの外方に設けられた位置決め軸が装置本体内に設けられた案内部に案内されることにより装置本体に装着されるカートリッジが知られている。特許文献１では、現像カートリッジを着脱する一つの開閉部材の開閉動作に連動して現像カートリッジの現像ローラをドラムカートリッジの感光ドラムと接触するように押圧する現像押圧部材の押圧を解除できるものである。
【０００３】
特許文献１において、現像カートリッジの現像ローラをドラムカートリッジの感光ドラムと離間させるための現像押圧部材の押圧の解除は、現像カートリッジを着脱する際に使用する第１カバーを開くことによって行っている。ドラムカートリッジの着脱は、第２カバーを開くことによって行う。このとき、ドラムカートリッジの感光ドラムが現像カートリッジの現像ローラに接触する状態でドラムカートリッジの着脱を行った場合、感光ドラムと摺擦されることにより現像ローラの劣化を招くおそれがある。
【０００４】
このため特許文献１では、現像カートリッジを着脱する際に使用する第１カバーを閉じた状態であると、ドラムカートリッジにアクセスするための第２カバーが開かないようにロックされた状態になる。これによりドラムカートリッジの感光ドラムが現像カートリッジの現像ローラに接触する状態でドラムカートリッジの着脱を行うことができないようになっている。つまり、特許文献１では、ドラムカートリッジを引き抜くためには、第１カバーを開けた後、第２カバーを開けるという手順を踏まないとドラムカートリッジを引き抜くことができないようになっている。
【先行技術文献】
【特許文献】
【０００５】
【特許文献１】特開２０１６−１３８９９４号公報
【発明の概要】
【発明が解決しようとする課題】
【０００６】
しかしながら、特許文献１では、ドラムカートリッジのみを取り出すときに第２カバーだけでなく、第１カバーも開く必要があり、操作性の向上が望まれていた。
【０００７】
本発明は前記課題を解決するものであり、その目的とするところは、ドラムカートリッジのみを取り出すときの操作性を向上した画像形成装置を提供するものである。
【課題を解決するための手段】
【０００８】
前記目的を達成するための本発明に係る画像形成装置の代表的な構成は、装置本体と、像担持体を備え、前記装置本体に着脱可能であるドラムカートリッジと、現像剤担持体を備え、前記装置本体に着脱可能である現像カートリッジと、を備えた画像形成装置において、前記装置本体は、前記ドラムカートリッジを着脱する時に前記ドラムカートリッジが通過する第一開口を開放する第一開放位置と、前記第一開口を閉じる第一閉じ位置と、を取り得る第一開閉部材と、前記現像カートリッジを着脱する時に前記現像カートリッジが通過する第二開口を開放する第二開放位置と、前記第二開口を閉じる第二閉じ位置と、を取り得る第二開閉部材と、前記現像剤担持体が前記像担持体と接触するように前記現像カートリッジを押圧する押圧部材と、前記第一開閉部材の前記第一閉じ位置から前記第一開放位置への移動に連動して前記押圧部材による前記現像カートリッジの押圧を解除する第一押圧解除部材と、前記第二開閉部材の前記第二閉じ位置から前記第二開放位置への移動に連動して前記押圧部材による前記現像カートリッジの押圧を解除する第二押圧解除部材と、を有することを特徴とする。
【発明の効果】
【０００９】
本発明によれば、ドラムカートリッジのみを取り出すときの操作性を向上することができる。
【図面の簡単な説明】
【００１０】
【図１】画像形成装置の構成を示す断面図である。
【図２】画像形成装置の原稿読取部と排出トレイと前ドアを開放した状態で、ドラムカートリッジと現像カートリッジを挿抜する様子を示す断面図である。
【図３】ドラムカートリッジと現像カートリッジとが各装着部から取り出された状態を示す断面図である。
【図４】現像カートリッジの装着部の構成を示す断面図である。
【図５】前ドアが閉状態のときの現像カートリッジの装着部の構成を示す断面図である。
【図６】前ドアが開閉途中状態のときの現像カートリッジの装着部の構成を示す断面図である。
【図７】前ドアが開状態のときの現像カートリッジの装着部の構成を示す断面図である。
【図８】前ドアが開状態で現像カートリッジが離脱途中状態のときの現像カートリッジの装着部の構成を示す断面図である。
【図９】現像カートリッジの装着部の第１変形例の構成を示す断面図である。
【図１０】現像カートリッジの装着部の第２変形例の構成を示す断面図である。
【図１１】原稿読取部が開状態で排出トレイが閉状態のときの現像カートリッジの装着部の構成を示す断面図である。
【図１２】原稿読取部が開状態で排出トレイが開状態のときの現像カートリッジの装着部の構成を示す断面図である。
【発明を実施するための形態】
【００１１】
図により本発明に係る画像形成装置の一実施形態を具体的に説明する。
【００１２】
＜画像形成装置＞
図１〜図３を用いて画像形成装置の構成について説明する。図１は、画像形成装置１の構成を示す断面図である。図２は、画像形成装置１の原稿読取部４と排出トレイ９０と前ドア９２を開放した状態で、ドラムカートリッジ６０と現像カートリッジ７０を挿抜する様子を示す断面図である。図３は、ドラムカートリッジ６０と現像カートリッジ７０とが画像形成装置１の装置本体２の各装着部から取り出された状態を示す断面図である。図１に示す画像形成装置１は、電子写真方式を用いたレーザビームプリンタの一例である。尚、以下の説明において、画像形成装置１における前方や前側や前端部は図１の右側を示し、後方や後側や後端部は、図１の左側を示しているものとする。
【００１３】
図１において、画像形成装置１の装置本体２には、原稿の画像情報を読み取るための原稿読取部４が設けられる。更に、装置本体２には、紙等の記録材Ｓを画像形成部３に給送するための給送部１０と、電子写真方式により画像形成を行う画像形成部３と、画像形成部３により形成された画像を記録材Ｓに定着するための定着ユニット４０が設けられている。ここで、装置本体２とは、画像形成装置１からドラムカートリッジ６０と現像カートリッジ７０を除いた部分をいう。給送部１０は、給送ローラ１１と、分離ローラ１２と、給送トレイ１５と、中板１４とを備え、装置本体２の底部に設けられている。給送トレイ１５の中板１４上には、記録材Ｓが積載されて収容されている。
【００１４】
前ドア９２には、手差しトレイ９１が設けられている。手差しトレイ９１は、支軸９１ａを中心に前ドア９２に対して回動するように構成されている。手差しトレイ９１は、図１の実線で示すように、前ドア９２と重なるように収納される位置と、図１の破線で示すように、記録材Ｓを載置可能な位置に回動する。
【００１５】
画像形成部３は、トナー像を形成する像担持体としての感光ドラム６１と、感光ドラム６１に形成されたトナー像を記録材Ｓに転写する転写手段としての転写ローラ３１とを有する。更に、画像形成部３は、転写後に感光ドラム６１の表面に残ったトナーをクリーニングするクリーニング手段としてのクリーニングローラ６２を有する。更に、画像形成部３は、感光ドラム６１の表面を一様に帯電する帯電手段としてのコロナ帯電器６３と、感光ドラム６１にトナーを供給する現像剤担持体としての現像ローラ７１等を備えている。
【００１６】
尚、感光ドラム６１と、クリーニングローラ６２と、コロナ帯電器６３とは、ドラムカートリッジ６０に備えられたドラムフレーム６４に支持されている。ドラムカートリッジ６０は、ドラムフレーム６４の装置本体２の前方側に配置された軸６５ａを中心に回動可能に支持されたドラム把持部６５を備えている。
【００１７】
図２に示すように、像担持体としての感光ドラム６１を備えたドラムカートリッジ６０は、排出トレイ９０を開き、ユーザがドラム把持部６５を把持して図２の矢印Ａ方向に装置本体２に着脱可能に装着される。第一開閉部材としての排出トレイ９０は、ドラムカートリッジ６０を着脱する時に該ドラムカートリッジ６０が通過する第一開口６を開放する図２に示す第一開放位置と、第一開口６を閉じる図１に示す第一閉じ位置と、をとり得る。
【００１８】
現像カートリッジ７０は、現像ローラ７１と、現像枠体７２と、現像把持部７３とを備えている。図２に示すように、現像カートリッジ７０は、前ドア９２を開き、ユーザが現像把持部７３を把持して、図２の矢印Ｂ方向に装置本体２に着脱可能に装着される。第二開閉部材としての前ドア９２は、現像カートリッジ７０を着脱する時に該現像カートリッジ７０が通過する第二開口７を開放する図２に示す第二開放位置と、第二開口７を閉じる図１に示す第二閉じ位置と、をとり得る。定着ユニット４０は、加熱ユニット４１と、加圧ローラ４２を備えている。定着ユニット４０は、１つのユニットとして構成されており、装置本体２に対して交換可能に取り付けられている。
【００１９】
＜画像形成動作＞
次に、画像形成装置１の画像形成動作について説明する。像担持体としての感光ドラム６１は図１の時計回り方向に回転する。感光ドラム６１の表面は、クリーニング手段としてのクリーニングローラ６２によりクリーニングされ、帯電手段としてのコロナ帯電器６３により感光ドラム６１の表面が一様に帯電される。
【００２０】
次に、図示しないホストコンピュータから送られた画像信号に基づき、装置本体２に設けられた露光手段としてのレーザスキャナ８０からレーザ光８０ａが図１の時計回り方向に回転している感光ドラム６１の表面上に照射される。これにより感光ドラム６１の表面上に静電潜像が形成される。次に、現像ローラ７１の表面上に担持されたトナーが感光ドラム６１の表面上に形成された静電潜像に供給されて、感光ドラム６１の表面上にトナー像が現像される。
【００２１】
一方、給送ローラ１１が所定のタイミングで回転を始め、これに連動してコイルバネ１３の押圧力により給送ローラ１１側に押圧されている中板１４が上方に回動する。これにより中板１４上に積載された記録材Ｓの先端部が給送ローラ１１に所定の力で圧接する。給送ローラ１１は、給送時のみ図１の反時計回り方向に回転するように制御されている。給送ローラ１１は、給送ローラ１１の表面に圧接された記録材Ｓを摩擦力により給送する。尚、中板１４上の記録材Ｓが給送ローラ１１により複数枚同時に送り出されると、分離ローラ１２の作用により最上位の記録材Ｓのみが分離されて下流へと搬送される。
【００２２】
次に、分離ローラ１２により分離された最上位の記録材Ｓは、搬送ローラ８により搬送されて、停止しているレジストローラ９のニップ部に記録材Ｓの先端部が突き当てられて記録材Ｓの斜行が補正される。その後、所定のタイミングでレジストローラ９が回転し、記録材Ｓは、感光ドラム６１と転写ローラ３１とのニップ部からなる転写部３０に搬送される。転写部３０において、感光ドラム６１の表面上に形成されたトナー像が、転写ローラ３１により電気的に引きつけられて記録材Ｓに転写される。
【００２３】
その後、トナー像が転写された記録材Ｓは、感光ドラム６１と転写ローラ３１とにより挟持搬送されて加熱ユニット４１と加圧ローラ４２を備えた定着ユニット４０に搬送される。定着ユニット４０において、トナー像が担持された記録材Ｓが加熱ユニット４１と加圧ローラ４２との間を搬送される間に加熱及び加圧され、トナー像が記録材Ｓに定着される。その後、排出ローラ５０により装置本体２の上部に設けられた排出トレイ９０上に排出される。
【００２４】
＜現像カートリッジ＞
現像手段としての現像カートリッジ７０は、現像ローラ７１と、現像枠体７２を備えており、装置本体２に対して、第二開口７から図２の矢印Ｂ方向に着脱可能に設けられている。現像枠体７２には、図２の矢印Ｂ方向で示す着脱方向の前ドア９２側にユーザが現像カートリッジ７０を把持するための現像把持部７３が設けられている。
【００２５】
現像枠体７２の長手方向（図１の手前から奥側の方向）の両側面には、現像ローラ７１の軸線方向に突出した３つの突起として、現像第１突起７４と、現像第２突起７５と、現像第３突起７６が設けられている。一方の第一突起としての現像第１突起７４は、現像剤担持体としての現像ローラ７１の回転軸と略同軸上に配置されている。他方の第二突起としての現像第３突起７６は、第一突起としての現像第１突起７４よりも現像カートリッジ７０の着脱方向の前方（図４の右側）に配置されている。
【００２６】
現像第２突起７５は、現像第１突起７４の下方に配置されている。現像第３突起７６は、現像第１突起７４と現像第２突起７５よりも図２の矢印Ｂ方向で示す着脱方向の前ドア９２側に配置されている。現像カートリッジ７０を装置本体２に装着する際に、第一突起としての現像第１突起７４は、図４に示す第１現像ガイド１１１の第一案内部としての案内部１１１ａに案内された後に第二案内部としての案内部１１１ｂ〜１１１ｃ及び規制部１１１ｄに案内される。一方、第二突起としての現像第３突起７６は、第１現像ガイド１１１の第一案内部としての案内部１１１ａに案内される。
【００２７】
＜本体ケーシング＞
次に、図４及び図５を用いて本体ケーシング５について説明する。図４は、現像カートリッジ７０の装着部の構成を示す断面図である。図５は、前ドア９２が閉状態のときの現像カートリッジ７０の装着部の構成を示す断面図である。装置本体２には、本体ケーシング５が設けられている。本体ケーシング５は、図４及び図５に示すように、１対の側壁１１０と、現像押圧機構１００と、リンクユニット１２０とを更に備えている。
【００２８】
図４に示す１対の側壁１１０は、本体ケーシング５の内部の左右に配置されている。尚、１対の側壁１１０は、左右対称であるため右方の側壁１１０についてのみ説明する。側壁１１０は、図４及び図５に示すように、第１現像ガイド１１１と、第１現像ガイド１１１の下方に配置される第２現像ガイド１１２と、ドラムガイド１１３と、押圧機構収容部１１４と、図５に示す１対のガイド突起１２３とを備えている。
【００２９】
＜現像ガイド＞
装置本体２側に設けられた第１現像ガイド１１１と第２現像ガイド１１２とは、現像カートリッジ７０を案内する。第１現像ガイド１１１と第２現像ガイド１１２とは、それぞれ現像カートリッジ７０を第二開口７から着脱する着脱方向（図５の左右方向）に延びる第一案内部としての案内部１１１ａ，１１２ａを有する。
【００３０】
更に、第１現像ガイド１１１と第２現像ガイド１１２とは、第二案内部としての案内部１１１ｂ〜１１１ｃ，１１２ｂ〜１１２ｃ及び規制部１１１ｄ，１１２ｄを有する。案内部１１１ｂ，１１２ｂは、それぞれ各案内部１１１ａ，１１２ａに接続されている。第二案内部としての案内部１１１ｂ〜１１１ｃ，１１２ｂ〜１１２ｃ及び規制部１１１ｄ，１１２ｄは、図５に示す現像カートリッジ７０の画像形成位置と、図７に示す現像カートリッジ７０の非画像形成位置との間の現像カートリッジ７０の移動を案内する。
【００３１】
第１現像ガイド１１１と第２現像ガイド１１２とに、第二案内部としての案内部１１１ｃ，１１２ｃがそれぞれ設けられる。ここで、図４に示す装置本体２の画像形成位置に装着されている現像カートリッジ７０の現像剤担持体としての現像ローラ７１の回転中心７１ａを考慮する。更に、図４に示す装置本体２の画像形成位置に装着されているドラムカートリッジ６０の像担持体としての感光ドラム６１の回転中心６１ｂを考慮する。そして、回転中心７１ａと回転中心６１ｂとを結ぶ直線１６を考慮する。案内部１１１ｃ，１１２ｃは、それぞれ直線１６と略平行に伸びている。
【００３２】
図４に示すように、装置本体２に装着されたドラムカートリッジ６０及び現像カートリッジ７０が画像形成位置にあるとき、現像剤担持体としての現像ローラ７１と像担持体としての感光ドラム６１とが接触状態である。第１現像ガイド１１１は、側壁１１０の上下方向略中央に配置され、図４に示すように、装置本体２の前方（図４の右側）から後方（図４の左側）に向かって上方に傾いて延びた後、装置本体２の前下方に向かって屈曲する略Ｖ字形状を有している。
【００３３】
具体的には、第１現像ガイド１１１は、図４に示す案内部１１１ａ〜１１１ｃと、規制部１１１ｄとを備えている。案内部１１１ａは、側壁１１０の上下方向略中央に配置され、装置本体２の前方から後方に向かって上方に傾いて延びている。案内部１１１ｂは、案内部１１１ａの装置本体２の後側の上端部から、後下方に向かって延びている。
【００３４】
案内部１１１ｃは、案内部１１１ｂの装置本体２の後側の下端部から、装置本体２の前下方に向かって延び、規制部１１１ｄの装置本体２の後側の上端部に接続されている。規制部１１１ｄは、案内部１１１ｃの装置本体２の前側の下端部に設けられている。規制部１１１ｄは、本体ケーシング５に装着された状態の現像カートリッジ７０の現像第１突起７４を支持している。また、現像カートリッジ７０の現像第３突起７６は、案内部１１１ａにより案内される。
【００３５】
第２現像ガイド１１２は、第１現像ガイド１１１の下方に配置され、図４に示すように、装置本体２の前方から後方に向かって上方に傾いて延びた後、装置本体２の前下方に向かって屈曲する略Ｖ字形状を有している。具体的には、第２現像ガイド１１２は、案内部１１２ａ〜１１２ｃと、規制部１１２ｄとを備えている。
【００３６】
案内部１１２ａは、側壁１１０の上下方向略中央に配置され、装置本体２の前方から後方に向かって上方に傾いて延びている。案内部１１２ｂは、案内部１１２ａの装置本体２の後側の上端部から後下方に向かって延びている。案内部１１２ｃは、案内部１１２ｂの装置本体２の後側の下端部から、装置本体２の前下方に向かって延び、規制部１１２ｄの装置本体２の後側の上端部に接続されている。
【００３７】
規制部１１２ｄは、案内部１１２ｃの装置本体２の前側の下端部に設けられている。規制部１１２ｄは、第１現像ガイド１１１の規制部１１１ｄの装置本体２の前下方に配置されている。第２現像ガイド１１２の案内部１１２ｃは、第１現像ガイド１１１の案内部１１１ｃと平行に延びている。
【００３８】
現像カートリッジ７０を装置本体２から着脱する際に、現像カートリッジ７０に設けられた現像第１突起７４と現像第３突起７６とが装置本体２側に設けられた第１現像ガイド１１１により案内される。一方、現像カートリッジ７０に設けられた現像第２突起７５が装置本体２側に設けられた第２現像ガイド１１２により案内される。
【００３９】
このとき、装置本体２に装着されたドラムカートリッジ６０が図４に示す画像形成位置にあるときの像担持体としての感光ドラム６１が占める空間を考慮する。現像カートリッジ７０の現像剤担持体としての現像ローラ７１は、ドラムカートリッジ６０が非画像形成位置に退避した後のこの空間を通過することができる。
【００４０】
即ち、現像カートリッジ７０を装置本体２から着脱する際には、前ドア９２を開放する。このとき、前ドア９２に連結されたリンクユニット１２０によりドラムカートリッジ６０が図７の右側に引っ張られて非画像形成位置に退避する。このため装置本体２に装着されたドラムカートリッジ６０が図４に示す画像形成位置にあるときの像担持体としての感光ドラム６１が占める空間を考慮する。この空間を感光ドラム６１が非画像形成位置に退避した後で現像カートリッジ７０の現像剤担持体としての現像ローラ７１が通過することができる。
【００４１】
現像カートリッジ７０に設けられた現像第１突起７４と現像第２突起７５の移動を考慮する。これらは、第１現像ガイド１１１及び第２現像ガイド１１２のそれぞれの第一案内部としての案内部１１１ａ，１１２ａと、第二案内部としての案内部１１１ｂ〜１１１ｃ，１１２ｂ〜１１２ｃ及び規制部１１１ｄ，１１２ｄとの間を移動する。
【００４２】
尚、本実施形態では、現像カートリッジ７０の現像第３突起７６を、現像第１ガイド１１１の案内部１１１ａにより案内する構成の一例である。他に、現像カートリッジ７０の現像第３突起７６を、現像第２ガイド１１２の案内部１１２ａにより案内する構成でも良い。
【００４３】
＜ドラムガイドの形状＞
ドラムガイド１１３は、図４に示すように、第１現像ガイド１１１の上方に配置され、側壁１１０の装置本体２の内側から外側に向かって凹形状となっている。ドラムガイド１１３は、図４に示すように、第１現像ガイド１１１の規制部１１１ｄの装置本体２の後上方から装置本体２の前上方に向かって延びている。ドラムガイド１１３は、装置本体２の前上方に向かうにつれて幅が大きくなるように形成されている。ドラムガイド１１３は、ドラムカートリッジ６０を案内する。
【００４４】
＜押圧機構収容部＞
押圧機構収容部１１４は、図５に示すように、第２現像ガイド１１２の下方に配置されている。押圧機構収容部１１４は、側壁１１０の内部に配置されている。押圧機構収容部１１４は、装置本体２の前後方向に延びる空間からなる押圧部材収容部１１４ａと、解除部材収容部１１４ｂとを備えている。
【００４５】
押圧部材収容部１１４ａは、押圧機構収容部１１４の装置本体２の後側の端部で、第２現像ガイド１１２の規制部１１２ｄよりも装置本体２の前下方に配置されている。解除部材収容部１１４ｂは、図２に示す第二開口７の下端部から装置本体２の後方に向かって延び、押圧部材収容部１１４ａの上端部に連続するように延びている。第一開口６は、ドラムカートリッジ６０を着脱する時に該ドラムカートリッジ６０が通過する開口である。
【００４６】
＜現像押圧機構＞
現像押圧機構１００は、図５に示すように、現像押圧部材１０１と、押圧ばね１０２と、第一押圧解除部材１０３と、第二押圧解除部材１０４を備えている。押圧部材としての現像押圧部材１０１は、装置本体２に設けられた現像押圧軸１０１ｃを回動中心として回動可能に支持されている。現像押圧部材１０１は、現像カートリッジ７０の現像第２突起７５を押圧する押圧部１０１ａと、現像押圧部材１０１の回動中心としての現像押圧軸１０１ｃを挟んで押圧部１０１ａとは反対側に設けられた非押圧部１０１ｂとを有している。
【００４７】
付勢部材としての押圧ばね１０２は、押圧部１０１ａを現像カートリッジ７０の現像第２突起７５に向かって押圧する。押圧ばね１０２は、現像カートリッジ７０に設けられた現像剤担持体としての現像ローラ７１がドラムカートリッジ６０に設けられた像担持体としての感光ドラム６１と接触するように現像カートリッジ７０を押圧する。これにより現像カートリッジ７０を図５に示す画像形成位置に移動させる。
【００４８】
現像押圧部材１０１は、押圧機構収容部１１４の押圧部材収容部１１４ａ内に配置されている。現像押圧部材１０１は、Ｌ字形状で形成されており、押圧部１０１ａと、非押圧部１０１ｂで構成されている。また、現像押圧部材１０１は、現像押圧軸１０１ｃを中心として回動可能に構成されている。現像押圧部材１０１は、現像ローラ７１が感光ドラム６１に当接するように、図５に示す現像カートリッジ７０を押圧する押圧位置と、図６に示す現像カートリッジ７０への押圧を解除する押圧解除位置とに移動可能である。
【００４９】
押圧ばね１０２は、圧縮ばねであり、現像押圧部材１０１と押圧部材収容部１１４ａの前壁１１４ａ１との間に配置される。押圧ばね１０２の押圧力Ｆ２により、現像押圧部材１０１は、現像押圧軸１０１ｃを中心として、図５の反時計回り方向に移動する。押圧ばね１０２に押圧されることで、押圧部１０１ａは、図５に示すように、現像カートリッジ７０に設けられた現像第２突起７５の装置本体２の前側の下端部に当接して、現像カートリッジ７０を押圧する押圧位置に移動させる。
【００５０】
第一押圧解除部材１０３は、第一開閉部材としての排出トレイ９０と、現像押圧部材１０１の非押圧部１０１ｂとの間に接続されている。第一押圧解除部材１０３は、排出トレイ軸９０ａを回動中心とする排出トレイ９０の回動による開閉動作と連動している。これにより第一押圧解除部材１０３は、現像押圧軸１０１ｃを回動中心として現像押圧部材１０１の押圧部１０１ａを図５の反時計回り方向に押圧する付勢部材としての押圧ばね１０２の押圧状態を解除する。即ち、第一押圧解除部材１０３は、第一開閉部材としての排出トレイ９０の図１に示す第一閉じ位置から図２に示す第一開放位置への移動に連動して付勢部材としての押圧ばね１０２による現像カートリッジ７０の押圧を解除する。
【００５１】
第一開閉部材としての排出トレイ９０を排出トレイ軸９０ａを中心に図１２の反時計回り方向に回動して開く。このとき、第一押圧解除部材１０３が現像押圧部材１０１の非押圧部１０１ｂを上方向に引っ張る。これにより現像押圧部材１０１が付勢部材としての押圧ばね１０２の押圧力Ｆ２に抗して現像押圧軸１０１ｃを中心に図１２の時計回り方向に回動する。これにより押圧ばね１０２による現像カートリッジ７０に設けられた現像第２突起７５に対する現像押圧部材１０１の押圧部１０１ａの押圧状態が第一押圧解除部材１０３によって解除される。
【００５２】
このとき、現像カートリッジ７０は、現像カートリッジ７０の自重により現像カートリッジ７０に設けられた現像第１突起７４が図４に示す第１現像ガイド１１１の案内部１１１ｃにガイドされて規制部１１１ｄに到達する。また、現像カートリッジ７０に設けられた現像第２突起７５が第２現像ガイド１１２の案内部１１２ｃにガイドされて規制部１１２ｄに到達する。これにより現像カートリッジ７０が図１１に示す画像形成位置から図１２に示す非画像形成位置に移動する。図７及び図１２に示すように、現像カートリッジ７０の非画像形成位置は、図５及び図１１に示す現像カートリッジ７０の画像形成位置の略下方に配置される。
【００５３】
第二押圧解除部材１０４は、引張ばねであり、押圧機構収容部１１４の解除部材収容部１１４ｂ内に配置されている。第二押圧解除部材１０４は、第二開閉部材としての前ドア９２と、現像押圧部材１０１の押圧部１０１ａとの間に接続されている。第二押圧解除部材１０４は、前ドア軸９２ａを回動中心とする前ドア９２の回動による開閉動作と連動している。
【００５４】
このため第二押圧解除部材１０４は、現像押圧軸１０１ｃを回動中心として現像押圧部材１０１の押圧部１０１ａを図５の反時計回り方向に押圧する付勢部材としての押圧ばね１０２の押圧状態を解除する。即ち、第二押圧解除部材１０４は、第二開閉部材としての前ドア９２の図１に示す第二閉じ位置から図２に示す第二開放位置への移動に連動して押圧部材としての現像押圧部材１０１の押圧部１０１ａによる現像カートリッジ７０の押圧を解除する。
【００５５】
第二開閉部材としての前ドア９２を前ドア軸９２ａを中心に図６及び図７の時計回り方向に回動して開く。このとき、第二押圧解除部材１０４が現像押圧部材１０１の押圧部１０１ａを図６及び図７の右方向に引っ張る。これにより現像押圧部材１０１が付勢部材としての押圧ばね１０２の押圧力Ｆ２に抗して現像押圧軸１０１ｃを中心に図６及び図７の時計回り方向に回動する。これにより押圧ばね１０２による現像カートリッジ７０に設けられた現像第２突起７５に対する現像押圧部材１０１の押圧部１０１ａの押圧状態が第二押圧解除部材１０４によって解除される。
【００５６】
即ち、第二開閉部材としての前ドア９２の図５に示す第二閉じ位置から図７に示す第二開放位置への移動に連動して第二押圧解除部材１０４が現像押圧部材１０１の押圧部１０１ａを引っ張る。これにより付勢部材としての押圧ばね１０２の押圧力Ｆ２に抗して現像押圧部材１０１を現像押圧軸１０１ｃを中心に非押圧方向（図７の時計回り方向）に回動させる。これにより現像押圧部材１０１の押圧部１０１ａによる現像カートリッジ７０の現像第２突起７５の押圧を解除することができる。
【００５７】
このとき、現像カートリッジ７０は、現像カートリッジ７０の自重により現像カートリッジ７０に設けられた現像第１突起７４が図４に示す第１現像ガイド１１１の案内部１１１ｃにガイドされて規制部１１１ｄに到達する。また、現像カートリッジ７０に設けられた現像第２突起７５が第２現像ガイド１１２の案内部１１２ｃにガイドされて規制部１１２ｄに到達する。これにより現像カートリッジ７０が図５に示す画像形成位置から図７に示す非画像形成位置に移動する。
【００５８】
ここで、第二押圧解除部材１０４の引張力をＦ１、押圧ばね１０２の押圧力をＦ２と定義する。図５に示すように、前ドア９２の閉状態において、引張力Ｆ１と押圧力Ｆ２との関係は、Ｆ１＜Ｆ２の関係となっている。また、図７に示すように、前ドア９２の開状態において、引張力Ｆ１と押圧力Ｆ２との関係は、Ｆ１＞Ｆ２の関係となっている。
【００５９】
第二開閉部材としての前ドア９２が図５に示す第二閉じ位置にあるとき、第二押圧解除部材１０４の引張ばねの引張力Ｆ１は、付勢部材としての押圧ばね１０２の押圧力Ｆ２よりも小さい。これにより押圧ばね１０２の押圧力Ｆ２により現像押圧部材１０１の押圧部１０１ａが現像カートリッジ７０の現像第２突起７５を押圧して現像ローラ７１を感光ドラム６１に当接することができる。
【００６０】
第二開閉部材としての前ドア９２が図７に示す第二開放位置にあるとき、第二押圧解除部材１０４の引張ばねの引張力Ｆ１は、付勢部材としての押圧ばね１０２の押圧力Ｆ２よりも大きい。これにより押圧ばね１０２の押圧力Ｆ２に抗して現像押圧部材１０１の押圧部１０１ａによる現像カートリッジ７０の現像第２突起７５の押圧を解除することができる。これにより現像ローラ７１を感光ドラム６１から離間させることができる。
【００６１】
第一押圧解除部材１０３は、引張ばねである。ここで、第一押圧解除部材１０３の引張力をＦ３と定義する。図５に示すように、排出トレイ９０の閉状態において、引張力Ｆ３と押圧力Ｆ２との関係は、Ｆ３＜Ｆ２の関係となっている。また、図１２に示すように、排出トレイ９０の開状態において、引張力Ｆ３と押圧力Ｆ２はＦ３＞Ｆ２の関係となっている。
【００６２】
本実施形態の第一押圧解除部材１０３と第二押圧解除部材１０４とは、引張ばねで構成した一例である。他に、アーム部材と引張ばねとを組み合わせた部材や、長丸穴を備えたアームと、その長丸穴に勘合する軸を備えた現像押圧部材１０１を組み合わせたものを用いても良い。また、本実施形態においては、現像押圧部材１０１は、Ｌ字形状で形成したが、２つの押圧解除部材の張力により時計回り方向に回転する構成であれば、Ｖ字形状等の他の形状の現像押圧部材を用いても良い。
【００６３】
また、押圧ばね１０２は、圧縮ばねで構成しているが、引張ばねや、ねじりばね等の他の形状のばねを用いても良い。また、第一押圧解除部材１０３は、排出トレイ９０と現像押圧部材１０１の非押圧部１０１ｂとを接続した構成であるが、第一押圧解除部材１０３が排出トレイ９０と押圧部１０１ａとを接続する構成でも良い。
【００６４】
具体的な構成としては、排出トレイ９０を開く際の第一押圧解除部材１０３を略上方向に引張る力を、押圧部１０１ａを装置本体２の略前方向に引張る力に変換するような構成にする必要がある。このような引張力の方向を変換する構成として、第一押圧解除部材１０３を、押圧部１０１ａから装置本体２の略前方に延び、側壁１１０に設けたガイド部を通過して、略上方向に延びて排出トレイ９０に接続するような構成にすることもできる。
【００６５】
他の構成として、第一押圧解除部材１０３を２つのリンク部材を用いて、引張力の方向を変換する構成でも良い。この場合、押圧解除部材の形状は、Ｌ字形状やＶ字形状だけでなく、非押圧部１０１ｂを備えていない押圧部１０１ａのみで構成しても良い。
【００６６】
本実施形態では、第一押圧解除部材１０３を排出トレイ９０に接続して排出トレイ９０の開閉に連動して押圧ばね１０２による押圧部１０１ａの押圧を解除するよう構成した一例である。他に、第一押圧解除部材１０３を原稿読取部４に接続して、原稿読取部４の開閉に連動して押圧ばね１０２による押圧部１０１ａの押圧を解除する構成でも良い。
【００６７】
＜ドラム移動部材＞
装置本体２には、ドラム移動部材としてのリンクユニット１２０が設けられている。リンクユニット１２０は、前ドア軸９２ａを中心に回動する第二開閉部材としての前ドア９２の開閉動作と連動している。リンクユニット１２０は、前ドア９２の開閉動作と連動して、ドラムカートリッジ６０を図５に示す画像形成位置と、図７に示す非画像形成位置との間で移動させる。
【００６８】
前ドア軸９２ａを中心に前ドア９２を図６の時計回り方向に回動して前ドア９２を図５に示す閉じ位置から図６に示す中途位置に開く。その際に、前ドア９２と現像押圧部材１０１の押圧部１０１ａとの間に連結された第二押圧解除部材１０４により押圧部１０１ａが押圧ばね１０２の押圧力Ｆ２に抗して図６の右方向に引っ張られる。これにより現像押圧軸１０１ｃを中心に現像押圧部材１０１が図６の時計回り方向に回動する。これにより押圧ばね１０２による現像カートリッジ７０に設けられた現像第２突起７５に対する現像押圧部材１０１の押圧部１０１ａの押圧状態が第二押圧解除部材１０４によって解除される。
【００６９】
このとき、現像カートリッジ７０は、現像カートリッジ７０の自重により現像カートリッジ７０に設けられた現像第１突起７４が図６に示す第１現像ガイド１１１の案内部１１１ｃにガイドされる。また、現像カートリッジ７０に設けられた現像第２突起７５が図６に示す第２現像ガイド１１２の案内部１１２ｃにガイドされる。これにより現像カートリッジ７０は、装置本体２の前下方に移動する。これにより現像カートリッジ７０が図５に示す画像形成位置から図６に示す非画像形成位置に移動する。
【００７０】
更に、前ドア軸９２ａを中心に前ドア９２を図７の時計回り方向に回動して前ドア９２を図６に示す中途位置から図７に示す開放位置に開く。その際に、前ドア９２とドラムカートリッジ６０との間に連結されたドラム移動部材としてのリンクユニット１２０によってドラムカートリッジ６０が図７の右方向に引っ張られる。これによりドラムカートリッジ６０が図５に示す画像形成位置から図７に示す非画像形成位置に移動する。
【００７１】
ドラム移動部材としてのリンクユニット１２０は、図５に示すように、リンク第１アーム１２１と、リンク第２アーム１２２とを備えている。リンク第１アーム１２１は、ドラム保持部１２１ａと、第１アーム突起１２１ｂと、第１アーム本体部１２１ｃとを有して構成されている。
【００７２】
ドラム保持部１２１ａは、リンク第１アーム１２１の装置本体２の後端部側に配置されて、感光ドラム６１の長手方向の両端部に設けられたドラム端部を保持する。第１アーム本体部１２１ｃは、ドラム保持部１２１ａから装置本体２の前方に向かって延びている。第１アーム本体部１２１ｃは、１対のガイド突起１２３により案内され、リンク第１アーム１２１は、装置本体２の前後方向に移動可能となっている。第１アーム突起１２１ｂは、リンク第１アーム１２１の装置本体２の前方の端部に設けられている。
【００７３】
リンク第２アーム１２２は、第２アーム支点１２２ａと、第２アーム長穴１２２ｂと、第２アーム本体部１２２ｃとにより構成されている。リンク第２アーム１２２は、リンク第１アーム１２１の装置本体２の前方側に配置され、第２アーム長穴１２２ｂと第１アーム突起１２１ｂとが係合して接続されている。
【００７４】
第２アーム本体部１２２ｃは、第２アーム長穴１２２ｂから装置本体２の前下方に延びる形状となっている。第２アーム本体部１２２ｃの装置本体２の前側の下端部には、第２アーム支点１２２ａが設けられている。第２アーム支点１２２ａは、前ドア９２に接続されている。これにより前ドア９２に対してリンク第２アーム１２２が第２アーム支点１２２ａを中心に回動可能に支持されている。また、図５に示すように、前ドア９２が閉位置の状態で、第２アーム長穴１２２ｂの装置本体２の前側の下端縁に第１アーム突起１２１ｂを受け入れている。
【００７５】
＜現像カートリッジの着脱操作＞
次に、図６〜図１０を用いて装置本体２に装着されている現像カートリッジ７０の着脱操作について説明する。図６は、前ドア９２が開閉途中状態のときの現像カートリッジ７０の装着部の構成を示す断面図である。図７は、前ドア９２が開状態のときの現像カートリッジ７０の装着部の構成を示す断面図である。図８は、前ドア９２が開状態で現像カートリッジ７０が離脱途中状態のときの現像カートリッジ７０の装着部の構成を示す断面図である。図９は、現像カートリッジ７０の装着部の第１変形例の構成を示す断面図である。図１０は、現像カートリッジ７０の装着部の第２変形例の構成を示す断面図である。
【００７６】
＜現像カートリッジの離脱操作＞
図６を用いて、現像カートリッジ７０の離脱操作について説明する。現像カートリッジ７０にアクセスするために、図６に示すように、前ドア９２を閉位置から途中位置に向かって前ドア軸９２ａを中心に図６の時計回り方向に回動させる。前ドア９２は、前ドア軸９２ａを中心として図５に示す閉位置から図６の時計回り方向に回動し、図６に示すように、前ドア９２が略４５度傾いた途中位置に移動する。前ドア９２が図６の時計回り方向に回動する。これにより前ドア９２に接続された第二押圧解除部材１０４を介して、現像押圧部材１０１の押圧部１０１ａが装置本体２の前方（図６の右側）に引っ張られる。
【００７７】
図６に示すように、前ドア９２を開状態に回動させるとき、第二押圧解除部材１０４の引張力Ｆ１は、押圧ばね１０２の押圧力Ｆ２よりも大きくなる。このため現像押圧部材１０１は、押圧ばね１０２の押圧力Ｆ２に抗して、現像押圧軸１０１ｃを中心として図６の時計回り方向に回動し、押圧部１０１ａが押圧部材突当部１１４ｃに当接する。これにより現像押圧部材１０１が現像カートリッジ７０の押圧解除位置に移動する。
【００７８】
現像カートリッジ７０は、現像押圧部材１０１による押圧が解除されると、現像カートリッジ７０の自重により現像第１突起７４が規制部１１１ｄに案内され、現像第２突起７５が規制部１１２ｄに案内される。これにより現像カートリッジ７０は、装置本体２の前下方に移動する。
【００７９】
現像カートリッジ７０が移動することで、現像ローラ７１が感光ドラム６１から離間する。また、前ドア９２を開放することによりリンクユニット１２０において、前ドア９２に第２アーム支点１２２ａを中心に回動可能に接続されたリンク第２アーム１２２が、装置本体２の前下方に引き出される。
【００８０】
リンク第２アーム１２２が装置本体２の前下方に移動することで、第２アーム長穴１２２ｂが装置本体２の前方に移動して、第２アーム長穴１２２ｂの装置本体２の後側の上端縁に第１アーム突起１２１ｂを受け入れる。このとき、リンク第１アーム１２１は移動しないためドラムカートリッジ６０は、装置本体２の画像形成位置に保持されている。
【００８１】
次に、前ドア９２を図６に示す途中位置から図７に示す開位置へ向けて前ドア軸９２ａを中心に図７の時計回り方向に回動する。前ドア９２は、前ドア軸９２ａを中心として、図６に示す途中位置から図６の時計回り方向に回動し、図７に示すように、略９０度傾倒した開位置に移動する。
【００８２】
このとき、現像押圧部材１０１の押圧部１０１ａが押圧部材収容部１１４ａの押圧部材突当部１１４ｃに当接している。このため第二押圧解除部材１０４は伸長する。また、前ドア９２を開放することによりリンク第２アーム１２２が更に装置本体２の前下方に引き出される。そして、第２アーム長穴１２２ｂの装置本体２の後側の上端部が第１アーム突起１２１ｂと当接する。そして、リンク第１アーム１２１がガイド突起１２３により案内されて装置本体２の前方に引き出される。
【００８３】
リンク第１アーム１２１が装置本体２の前方に引き出されることで、ドラム保持部１２１ａに保持された感光ドラム６１がドラムガイド１１３に案内されて装置本体２の前上方に移動する。これによりドラムカートリッジ６０が画像形成解除位置に移動する。このようにして、感光ドラム６１は、現像カートリッジ７０の着脱動作時の第１現像ガイド１１１を通る現像ローラ７１の軌跡上から退避する。
【００８４】
最後に、ユーザが現像カートリッジ７０を把持して装置本体２から離脱させる。離脱させる動作は、３つの段階を経て行われる。第１段階として、図８に示すように、ユーザが現像カートリッジ７０の現像把持部７３を把持して下方向に押圧する。現像把持部７３の下方向への押圧力により現像第３突起７６を支点として、現像カートリッジ７０が図８の時計回り方向に回転する。この回転動作により現像カートリッジ７０は、現像第１突起７４が第１現像ガイド１１１の規制部１１１ｄから案内部１１１ｃに案内される。更に、現像第２突起７５が第２現像ガイド１１２の規制部１１２ｄから案内部１１２ｃに案内される。これにより現像カートリッジ７０の装置本体２の後側が上方へ移動する。
【００８５】
このとき、現像カートリッジ７０の装置本体２の後側の端部は、ドラムカートリッジ６０が画像形成位置に配置されていたときの感光ドラム６１が占める空間を通過する。第２段階として、現像カートリッジ７０は、現像第１突起７４が第１現像ガイド１１１の案内部１１１ｃから案内部１１１ｂに案内される。更に、現像第２突起７５が第２現像ガイド１１２の案内部１１２ｃから案内部１１２ｂに案内される。これにより現像カートリッジ７０が装置本体２の前上方へ移動する。
【００８６】
第３段階として、現像カートリッジ７０は、現像第１突起７４が第１現像ガイド１１１の案内部１１１ｂから案内部１１１ａに案内される。更に、現像第２突起７５が第２現像ガイド１１２の案内部１１２ｂから案内部１１２ａに案内される。これにより現像カートリッジ７０が装置本体２の前下方へ移動する。上記３つの段階を経て、現像カートリッジ７０は、レーザスキャナ８０の下方を通過して第二開口７から離脱される。これにより装置本体２からの現像カートリッジ７０の離脱操作が完了する。
【００８７】
＜現像カートリッジの装着操作＞
次に、現像カートリッジ７０の装着操作について説明する。装置本体２に現像カートリッジ７０を装着するには、上記した離脱操作とは逆の手順で、前ドア９２と現像カートリッジ７０を操作する。先ず、ユーザが前ドア９２を開き、現像カートリッジ７０の現像把持部７３を把持して、現像カートリッジ７０を第二開口７内に挿入する。そして、現像第１突起７４を第１現像ガイド１１１の案内部１１１ａに挿入する。そして、現像第２突起７５を第２現像ガイド１１２の案内部１１２ａに挿入する。
【００８８】
現像カートリッジ７０は、現像第１突起７４が第１現像ガイド１１１の案内部１１１ａに案内される。そして、現像第２突起７５が第２現像ガイド１１２の案内部１１２ａに案内される。これにより現像カートリッジ７０は、案内部１１１ａ，１１２ａに沿って装置本体２の後上方へ向かって挿入されていく。現像カートリッジ７０が装置本体２の後上方へ向かって所定量だけ挿入されると、現像第３突起７６が第１現像ガイド１１１の案内部１１１ａに案内される。
【００８９】
その後、現像カートリッジ７０は、現像第１突起７４が第１現像ガイド１１１の案内部１１１ｂに案内される。そして、現像第２突起７５が第２現像ガイド１１２の案内部１１２ｂに案内される。これにより現像カートリッジ７０は、装置本体２の後下方へ挿入される。このとき、現像カートリッジ７０は、現像第１突起７４が第１現像ガイド１１１の装置本体２の後側の端部に当接し、現像第２突起７５が第２現像ガイド１１２の装置本体２の後側の端部に当接する。これにより現像カートリッジ７０は、装置本体２の後方への移動が規制される。
【００９０】
そして、図７に示すように、現像カートリッジ７０の自重により現像第１突起７４が第１現像ガイド１１１の案内部１１１ｃから規制部１１１ｄに案内される。そして、現像第２突起７５が第２現像ガイド１１２の案内部１１２ｃから規制部１１２ｄに案内される。これにより現像カートリッジ７０は、装置本体２の前下方に移動する。上記操作により現像第１突起７４が規制部１１１ｄに保持され、現像第２突起７５が規制部１１２ｄに保持される。
【００９１】
次に、前ドア９２は、図７に示す開位置から図５に示す閉位置へ向けて回動する。先ず、リンクユニット１２０のリンク第２アーム１２２は、前ドア９２が閉じるにつれて装置本体２の後上方に移動する。リンク第２アーム１２２の第２アーム長穴１２２ｂが装置本体２の後上方に移動して、リンク第１アーム１２１が装置本体２の後方に移動する。これによりドラム保持部１２１ａに保持されたドラムカートリッジ６０がドラムガイド１１３に案内されて画像形成位置に移動する。
【００９２】
このとき、第二押圧解除部材１０４が縮んでいくため、現像押圧部材１０１に対する第二押圧解除部材１０４による引張力Ｆ１が小さくなっていく。第二押圧解除部材１０４による引張力が小さくなっていくことで、現像押圧部材１０１は、押圧ばね１０２の押圧力Ｆ２により現像押圧軸１０１ｃを支点として図５の反時計回り方向に回動する。
【００９３】
現像押圧部材１０１が図５の反時計回り方向に回動して押圧部１０１ａが現像第２突起７５に当接する。これにより現像第２突起７５を装置本体２の後上方に押圧して、現像カートリッジ７０の現像ローラ７１が感光ドラム６１に対して当接する。このとき、現像押圧部材１０１は、図５に示す押圧位置に位置している。これにより装置本体２への現像カートリッジ７０の装着操作が完了する。
【００９４】
ドラムカートリッジ６０と現像カートリッジ７０とを、それぞれ異なる第一開口６と第二開口７から着脱する。複数の開閉部材としての前ドア９２と排出トレイ９０との開閉動作に連動して現像カートリッジ７０を現像剤担持体としての現像ローラ７１が像担持体としての感光ドラム６１と接触するように押圧する現像押圧部材１０１の押圧を解除することができる。これにより現像カートリッジ７０を着脱する際もドラムカートリッジ６０を着脱する際も現像ローラ７１と感光ドラム６１とが摺擦して劣化することがない。特許文献１のように、ドラムカートリッジ６０のみを取り出すときに排出トレイ９０だけでなく前ドア９２を開く必要がないため操作性が向上する。
【００９５】
＜第１変形例＞
前記実施形態では、現像カートリッジ７０にそれぞれ設けられた３つの突起である現像第１突起７４、現像第２突起７５、現像第３突起７６が、それぞれ第１現像ガイド１１１、第２現像ガイド１１２により案内される。これにより現像カートリッジ７０が装置本体２に装着される一例であった。他に、図９に示す第１変形例のように、現像カートリッジ７０に設けられた現像第２突起７５と、装置本体２側に設けられた第２現像ガイド１１２とを省略した構成でも良い。
【００９６】
この構成では、図９に示す現像カートリッジ７０にそれぞれ設けられた現像第１突起７４と現像第３突起７６とが装置本体２側に設けられた第１現像ガイド１１１に案内されて、現像カートリッジ７０が装置本体２に装着される。
【００９７】
また、他の構成として、図５に示す現像カートリッジ７０に設けられた現像第３突起７６を省略して、現像カートリッジ７０にそれぞれ設けられた現像第１突起７４と現像第２突起７５のみで現像カートリッジ７０を保持する構成であっても良い。また、他の構成として、図５に示す現像カートリッジ７０に設けられた現像第１突起７４を省略して、現像カートリッジ７０にそれぞれ設けられた現像第２突起７５と現像第３突起７６のみで現像カートリッジ７０を保持する構成でも良い。
【００９８】
＜第２変形例＞
前記実施形態では、図８に示すように、前ドア９２を開状態に回動した後、ユーザが現像把持部７３を下方に押し下げて現像カートリッジ７０を離脱させる方式を用いた。他に、図１０に示す第２変形例のように、リンク第２アーム１２２に設けられた現像押圧部１２２ｄが現像カートリッジ７０を押し下げる構成でも良い。
【００９９】
この構成では、リンク第２アーム１２２は、現像押圧部１２２ｄを備え、現像カートリッジ７０は、装置本体２の前方側に現像第４突起７７を備える。図１０に示すように、前ドア９２を開状態に回動したときに、前ドア９２に連動して移動するリンク第２アーム１２２の現像押圧部１２２ｄが、現像カートリッジ７０の現像第４突起７７に当接して現像カートリッジ７０の装置本体２の前方側が押し下がる。
【０１００】
現像把持部７３の下方向の押圧力により現像第３突起７６を支点として現像カートリッジ７０が図１０の時計回り方向に回転する。この回転動作により現像カートリッジ７０は、現像第１突起７４が第１現像ガイド１１１の規制部１１１ｄから案内部１１１ｃ、案内部１１１ｂの順に案内される。そして、現像第２突起７５が第２現像ガイド１１２の規制部１１２ｄから案内部１１２ｃ、案内部１１２ｂの順に案内される。これにより現像カートリッジ７０の装置本体２の後側が上方へ移動する。
【０１０１】
その後、ユーザが現像把持部７３を把持して現像カートリッジ７０を装置本体２の前方に引っ張る。これにより現像カートリッジ７０は、現像第１突起７４が第１現像ガイド１１１の案内部１１１ｂから案内部１１１ａに案内される。そして、現像第２突起７５が第２現像ガイド１１２の案内部１１２ｂから案内部１１２ａに案内される。これにより現像カートリッジ７０は、第二開口７を通過して装置本体２から離脱する。
【０１０２】
＜ドラムカートリッジの着脱操作＞
次に、図１１及び図１２を用いて、装置本体２に装着されているドラムカートリッジ６０の着脱操作について説明する。図１１は、原稿読取部４が開状態で、排出トレイ９０が閉状態のときの現像カートリッジ７０の装着部の構成を示す断面図である。図１２は、原稿読取部４が開状態で、排出トレイ９０が開状態のときの現像カートリッジ７０の装着部の構成を示す断面図である。
【０１０３】
＜ドラムカートリッジの離脱操作＞
先ず、ドラムカートリッジ６０の離脱操作について説明する。原稿読取部４を図１１に示すように、閉位置から開位置に上方に向けて移動させる。排出トレイ９０が閉じた状態において、現像カートリッジ７０は、現像第２突起７５が押圧ばね１０２により押圧された現像押圧部材１０１の押圧部１０１ａにより押圧されて装置本体２の後上方に移動し、現像ローラ７１が感光ドラム６１に当接している。
【０１０４】
次に、図１２に示すように、排出トレイ９０を排出トレイ軸９０ａを中心に図１２の反時計回り方向に回動させて、図１１に示す閉位置から図１２に示す開位置に移動させる。排出トレイ９０が図１２の開位置に反時計回り方向に回動することで、排出トレイ９０に接続された第一押圧解除部材１０３を介して現像押圧部材１０１の非押圧部１０１ｂが上方に引っ張られる。
【０１０５】
排出トレイ９０を図１２に示す開状態に回動していくことで、第一押圧解除部材１０３の引張力Ｆ３は押圧ばね１０２の押圧力Ｆ２よりも大きくなる。このため第一押圧解除部材１０３は、押圧ばね１０２の押圧力Ｆ２に抗して、現像押圧部材１０１を現像押圧軸１０１ｃを中心として図１２の時計回り方向に回動し、押圧部１０１ａが押圧部材突当部１１４ｃに当接する。これにより現像押圧部材１０１が図１２に示す押圧解除位置に移動する。
【０１０６】
即ち、第一開閉部材としての排出トレイ９０の図５に示す第一閉じ位置から図１２に示す第一開放位置への移動に連動して第一押圧解除部材１０３が現像押圧部材１０１の非押圧部１０１ｂを引っ張る。これにより付勢部材としての押圧ばね１０２の押圧力Ｆ２に抗して現像押圧部材１０１を現像押圧軸１０１ｃを中心にして非押圧方向（図５の時計回り方向）に回動させる。これにより現像押圧部材１０１の押圧部１０１ａによる現像カートリッジ７０の現像第２突起７５の押圧を解除する。
【０１０７】
このとき、第一開閉部材としての排出トレイ９０が図５に示す第一閉じ位置にあるとき、第一押圧解除部材１０３の引張ばねによる引張力Ｆ３は、付勢部材としての押圧ばね１０２の押圧力Ｆ２よりも小さい。これにより押圧ばね１０２により押圧された現像押圧部材１０１の押圧部１０１ａが現像カートリッジ７０の現像第２突起７５を押圧することで現像ローラ７１が感光ドラム６１に当接される。
【０１０８】
また、第一開閉部材としての排出トレイ９０が図１２に示す第一開放位置にあるとき、第一押圧解除部材１０３の引張ばねによる引張力Ｆ３は、付勢部材としての押圧ばね１０２の押圧力Ｆ２よりも大きい。これにより押圧ばね１０２の押圧力Ｆ２に抗して現像押圧部材１０１の押圧部１０１ａによる現像カートリッジ７０の現像第２突起７５の押圧を解除することができる。これにより現像ローラ７１を感光ドラム６１から離間させることができる。
【０１０９】
現像カートリッジ７０に設けられた現像第２突起７５が現像押圧部材１０１による押圧が解除される。すると、現像カートリッジ７０は、現像カートリッジ７０の自重により現像カートリッジ７０に設けられた現像第１突起７４が規制部１１１ｄに案内される。そして、現像カートリッジ７０に設けられた現像第２突起７５が規制部１１２ｄに案内される。これにより現像カートリッジ７０は、装置本体２の前下方に移動する。現像カートリッジ７０が移動することで現像ローラ７１が感光ドラム６１から離間する。
【０１１０】
最後に、ユーザがドラムカートリッジ６０のドラム把持部６５を把持して装置本体２から離脱させる。ユーザがドラムカートリッジ６０のドラム把持部６５を把持して上方向に引き出そうとすると、ドラム把持部６５が軸６５ａを支点として図１２の反時計回り方向に回転する。ドラム把持部６５が図１２の反時計回り方向に回転して、図１２の矢印Ａ方向で示すドラムカートリッジ６０の引出方向に対して、略水平な姿勢になることで、ユーザがドラムカートリッジ６０をより小さい力で引き出すことができる。
【０１１１】
ユーザがドラム把持部６５を把持してドラムカートリッジ６０を図１２の矢印Ａ方向に引き出すことで、ドラムカートリッジ６０が図１２に示すドラムガイド１１３に案内されて第一開口６から離脱する。これにより装置本体２からのドラムカートリッジ６０の離脱操作が完了する。
【０１１２】
＜ドラムカートリッジの装着操作＞
また、装置本体２にドラムカートリッジ６０を装着する場合には、上記した離脱操作とは逆の手順で、装置本体２及びドラムカートリッジ６０を操作する。先ず、図１２に示すように、装置本体２に対して原稿読取部４と排出トレイ９０とを開位置にする。その状態で、ユーザがドラムカートリッジ６０のドラム把持部６５を把持して、感光ドラム６１の長手方向の両端部に設けられたドラム端部をドラムガイド１１３に嵌めるように挿入する。
【０１１３】
ドラムカートリッジ６０は、前記ドラム端部がドラムガイド１１３に案内されて、装置本体２の後下方に挿入される。感光ドラム６１の前記ドラム端部がドラムガイド１１３の後端部に突き当たることで、ドラムカートリッジ６０が画像形成位置に装着される。
【０１１４】
ユーザは、ドラムカートリッジ６０の装着を確認した後、ドラム把持部６５を手放す。これによりドラム把持部６５がドラム把持部６５の自重により軸６５ａを支点として図１１の時計回り方向に回動して、ドラム把持部６５が装置本体２の中に収納される。
【０１１５】
次に、排出トレイ９０を図１２に示す開位置から図１１に示す閉位置へ向けて回動する。このとき、第一押圧解除部材１０３は、ばね部が縮んでいくため現像押圧部材１０１に対する第一押圧解除部材１０３による引張力Ｆ３が小さくなっていく。第一押圧解除部材１０３の引張力Ｆ３が小さくなっていくことで、現像押圧部材１０１は、押圧ばね１０２の押圧力Ｆ２により現像押圧軸１０１ｃを支点として図１１の反時計回り方向に回動する。
【０１１６】
現像押圧部材１０１が図１１の反時計回り方向に回動して、押圧部１０１ａが現像カートリッジ７０に設けられた現像第２突起７５に当接する。これにより現像第２突起７５を装置本体２の後上方に押圧して、現像カートリッジ７０の現像ローラ７１が感光ドラム６１に対して当接する。このとき、現像押圧部材１０１は、図１１に示す押圧位置に位置している。これにより装置本体２へのドラムカートリッジ６０の装着操作が完了する。
【０１１７】
＜作用効果＞
（１）現像カートリッジ７０は、装置本体２側に設けられた第１現像ガイド１１１及び第２現像ガイド１１２に案内される。これにより現像カートリッジ７０は、装置本体２から着脱可能な離脱位置と、現像ローラ７１が感光ドラム６１に当接する当接位置との間を移動する。
【０１１８】
また、現像カートリッジ７０は、現像カートリッジ７０にそれぞれ設けられた現像第１突起７４と現像第２突起７５とが、それぞれ第１現像ガイド１１１の規制部１１１ｄと、第２現像ガイド１１２の規制部１１２ｄとに案内される。これにより現像カートリッジ７０は、現像ローラ７１が感光ドラム６１に当接する当接位置と、該当接位置よりも下方にある離間位置との間を移動する。
【０１１９】
そして、現像カートリッジ７０は、現像押圧軸１０１ｃを中心に図５の反時計回り方向に回動する現像押圧部材１０１の押圧部１０１ａにより現像カートリッジ７０に設けられた現像第２突起７５が押圧される。これにより現像カートリッジ７０は、現像ローラ７１が感光ドラム６１に向かう方向（装置本体２の後上方）に向かって押圧される。
【０１２０】
現像押圧部材１０１を、現像カートリッジ７０、第１現像ガイド１１１の規制部１１１ｄ、第２現像ガイド１１２の規制部１１２ｄよりも装置本体２の前下方に配置する。これにより現像押圧部材１０１に阻害されずに現像カートリッジ７０を装置本体２に対して装着できる。
【０１２１】
また、押圧ばね１０２の伸長力による現像押圧部材１０１の押圧力が弱い場合や、落下や振動等で現像カートリッジ７０に大きな外力が加わった場合を考慮する。このとき、現像カートリッジ７０にそれぞれ設けられた現像第１突起７４と現像第２突起７５とが、それぞれ第１現像ガイド１１１の規制部１１１ｄと、第２現像ガイド１１２の規制部１１２ｄとにより規制されている。これにより現像カートリッジ７０が装置本体２から脱落することを抑制することができる。
【０１２２】
（２）第１現像ガイド１１１の規制部１１１ｄに接続される案内部１１１ｃと、第２現像ガイド１１２の規制部１１２ｄに接続される案内部１１２ｃとを考慮する。案内部１１１ｃと案内部１１２ｃとは、現像カートリッジ７０の現像ローラ７１の回転中心７１ａと、ドラムカートリッジ６０の感光ドラム６１の回転中心６１ｂとを結ぶ直線１６と平行に延びている。
【０１２３】
そして、現像カートリッジ７０に設けられた現像第２突起７５が、現像押圧軸１０１ｃを中心に図１１の反時計回り方向に回動する現像押圧部材１０１の押圧部１０１ａにより押圧される。そして、現像カートリッジ７０に設けられた現像第１突起７４が、第１現像ガイド１１１の案内部１１１ｃに案内されて移動する。これにより現像カートリッジ７０に設けられた現像ローラ７１を、ドラムカートリッジ６０に設けられた感光ドラム６１に対して当接させることができる。
【０１２４】
（３）現像カートリッジ７０は、図４に示す第１現像ガイド１１１の案内部１１１ａにより現像カートリッジ７０に設けられた現像第１突起７４が装置本体２の後上方に向かって案内される。その後、案内部１１１ｂにより現像第１突起７４が装置本体２の後下方に向かって案内される。その後、案内部１１１ｃにより現像第１突起７４が規制部１１１ｄに案内される。これにより現像カートリッジ７０を方向転換させて装置本体２に対して円滑に装着することができる。
【０１２５】
（４）現像押圧軸１０１ｃを中心に図５の反時計回り方向に回動する現像押圧部材１０１の押圧部１０１ａにより現像カートリッジ７０に設けられた現像第２突起７５を押圧する。このとき、図４に示す第１現像ガイド１１１の案内部１１１ｂが、案内部１１１ａ及び案内部１１１ｃよりも感光ドラム６１に近接している。これにより図４に示す第１現像ガイド１１１の規制部１１１ｄに案内された現像カートリッジ７０の現像第１突起７４を案内部１１１ｂに向かって押圧できる。これにより現像ローラ７１を感光ドラム６１に対して当接させることができる。
【０１２６】
（５）図４に示すレーザスキャナ８０よりも下方に配置される第１現像ガイド１１１及び第２現像ガイド１１２を利用することで、現像カートリッジ７０をレーザスキャナ８０よりも下方を通過させて装置本体２に装着できる。そのためレーザスキャナ８０の下方空間に現像カートリッジ７０を配置することができ、大容量のトナー収容部を収納できる。また、感光ドラム６１に対して、現像ローラ７１を装置本体２の前下方から当接させることで、現像ローラ７１に担持されるトナーが落下して、感光ドラム６１に付着することを抑制できる。
【０１２７】
（６）前ドア９２を開閉させて、装置本体２の第二開口７から現像カートリッジ７０を着脱させることができる。
【０１２８】
（７）第二押圧解除部材１０４は、前ドア９２の開放動作により現像押圧部材１０１の押圧部１０１ａを装置本体２の前方に引っ張る。これにより押圧ばね１０２の押圧力Ｆ２に抗して現像押圧部材１０１を図５に示す押圧位置から図７に示す押圧解除位置に移動させる。これにより装置本体２に対する現像カートリッジ７０の着脱操作の簡素化を図ることができる。
【０１２９】
（８）感光ドラム６１を支持するドラムカートリッジ６０は、感光ドラム６１の長手方向の両端部に設けられるドラム端部がドラムガイド１１３に案内される。これにより感光ドラム６１は、画像形成位置と画像形成解除位置との間を移動することができる。そのため感光ドラム６１を現像ローラ７１から離間させた後に、現像カートリッジ７０を装置本体２から離脱させることができる。これにより感光ドラム６１と現像ローラ７１との摺擦による両ローラの劣化を抑制することができる。
【０１３０】
（９）リンクユニット１２０は、前ドア９２の開閉動作によりリンク第１アーム１２１とリンク第２アーム１２２とを介してドラム保持部１２１ａにより保持された感光ドラム６１を画像形成位置から画像形成解除位置に移動させることができる。これにより装置本体２に対する現像カートリッジ７０の着脱操作の簡素化を図ることができる。
【０１３１】
（１０）前ドア９２を図５に示す閉位置から図６に示す途中位置に回動させる。これにより第二押圧解除部材１０４が現像押圧部材１０１を図５に示す押圧位置から図６に示す押圧解除位置に回動させる。また、前ドア９２を図６に示す途中位置から図７に示す開位置に回動させる。これによりリンクユニット１２０がドラムカートリッジ６０の感光ドラム６１を図６に示す画像形成位置から図７に示す画像形成解除位置に移動させる。
【０１３２】
前ドア９２を図５に示す閉位置から図７に示す開位置に回動させる一連の動作により第二押圧解除部材１０４、リンクユニット１２０の順に動作して、現像押圧部材１０１と感光ドラム６１とを互いに干渉することなく動作させることができる。これにより装置本体２に対する現像カートリッジ７０の着脱操作のより一層の簡素化を図ることができる。
【０１３３】
（１１）排出トレイ９０を図１１に示す閉位置から図１２に示す開位置に回動させる。これにより第一押圧解除部材１０３が現像押圧部材１０１を図１１に示す押圧位置から図１２に示す押圧解除位置に回動させる。現像押圧部材１０１の押圧部１０１ａによる現像カートリッジ７０に設けられた現像第２突起７５の押圧が解除されることで、現像カートリッジ７０は、感光ドラム６１と現像ローラ７１とが当接する図１１に示す当接位置から図１２に示す離間位置に移動する。
【０１３４】
現像ローラ７１が感光ドラム６１から離間した状態で、ドラムカートリッジ６０を装置本体２から離脱させることができる。これによりドラムカートリッジ６０の着脱操作において、感光ドラム６１と現像ローラ７１の摺擦による両ローラの劣化を抑制することができる。
【０１３５】
（１２）現像カートリッジ７０を着脱するための第二開口７とは異なる第一開口６からドラムカートリッジ６０を装置本体２に対して着脱することができる。これにより感光ドラム６１を現像ローラ７１に対して上方に配置できる。これにより現像ローラ７１に担持されるトナーが落下して感光ドラム６１に付着することを抑制することができる。また、現像カートリッジ７０と、ドラムカートリッジ６０とを各々独立して交換することができる。
【０１３６】
（１３）ドラムカートリッジ６０をレーザスキャナ８０の上方を通過させて装置本体２に対して着脱させることができる。
【０１３７】
現像カートリッジ７０に設けられた現像第２突起７５に当接する現像押圧部材１０１を押圧する押圧ばね１０２の押圧力Ｆ２が弱い場合や、落下や振動等で現像カートリッジ７０に大きな外力が加わった場合を考慮する。現像カートリッジ７０に設けられた現像第１突起７４と現像第２突起７５とが、それぞれ第１現像ガイド１１１の規制部１１１ｄと、第２現像ガイド１１２の規制部１１２ｄにより規制されているため現像カートリッジ７０の脱落を抑制することができる。
【０１３８】
＜他の実施形態＞
上記実施形態では、露光ユニットの一例としてレーザスキャナ８０を用いた。他に、ＬＥＤ（Light Emitting Diode；発光ダイオード）ユニットを露光ユニットとして適用することもできる。
【０１３９】
また、上記実施形態では、感光ドラム６１と現像ローラ７１とを当接させた現像方式を用いて説明した。他に、感光ドラム６１と現像ローラ７１との間に隙間を設けた非接触現像方式にも適用することができる。即ち、装置本体２に装着されたドラムカートリッジ６０及び現像カートリッジ７０が画像形成位置にあるとき、現像剤担持体としての現像ローラ７１と像担持体としての感光ドラム６１とが非接触状態であっても良い。また、上記実施形態では、原稿読取部４を備えた画像形成装置１の一例について説明した。他に、原稿読取部４を備えない画像形成装置にも適用することができる。
【符号の説明】
【０１４０】
６１…感光ドラム（像担持体）
７０…現像カートリッジ
７１…現像ローラ（現像剤担持体）
９０…排出トレイ（第一開閉部材）
９２…前ドア（第二開閉部材）
１０１…現像押圧部材（押圧部材）
１０３…第一押圧解除部材
１０４…第二押圧解除部材
【図１】
2020184008.tif 000003
【図２】
2020184008.tif 000004
【図３】
2020184008.tif 000005
【図４】
2020184008.tif 000006
【図５】
2020184008.tif 000007
【図６】
2020184008.tif 000008
【図７】
2020184008.tif 000009
【図８】
2020184008.tif 000010
【図９】
2020184008.tif 000011
【図１０】
2020184008.tif 000012
【図１１】
2020184008.tif 000013
【図１２】
2020184008.tif 000014